(57)【要約】【課題】外装パネルの固定作業が建物躯体の各階床材上から容易に行え、外装パネルの固定作業が現場溶接作業なしに行える外装パネル支持構造および外装パネル支持方法を提供する。【解決手段】外装パネル支持構造１０は、外装パネル９の裏面上部に接続された上部支持具３０と、外装パネル９の裏面下部に接続された下部支持具４０と、建物躯体１の各階床梁２に固定されたパネル支持具２０と、を有し、パネル支持具２０には、建物躯体１の各階床材３の上面側に配置された上向きの支持面２３が形成され、支持面２３には、上部支持具３０が載置され、支持面２３に載置された上部支持具３０には、上方に設置される他の外装パネル９の下部支持具４０が載置される。【選択図】図１
2020176455.tif 000002
【特許請求の範囲】
【請求項１】
建物躯体に外装パネルを支持する外装パネル支持構造であって、
前記外装パネルの裏面上部に接続された上部支持具と、前記外装パネルの裏面下部に接続された下部支持具と、前記建物躯体の各階床梁に固定されたパネル支持具と、を有し、
前記パネル支持具には、前記建物躯体の各階床材の上面側に配置された上向きの支持面が形成され、
前記支持面には、前記上部支持具が載置され、
前記支持面に載置された前記上部支持具には、上方に設置される他の前記外装パネルの前記下部支持具が載置されることを特徴とする外装パネル支持構造。
【請求項２】
請求項１に記載された外装パネル支持構造において、
前記上部支持具と前記支持面と、および前記上部支持具と前記下部支持具とは、それぞれ締結具により締結されることを特徴とする外装パネル支持構造。
【請求項３】
請求項１または請求項２に記載された外装パネル支持構造において、
前記上部支持具は、前記建物躯体に向けて水平に延びる下段フランジおよび上段フランジが形成された台座部材を有し、前記下段フランジが前記支持面に載置されるとともに、前記上段フランジに前記下部支持具が載置されることを特徴とする外装パネル支持構造。
【請求項４】
請求項３に記載された外装パネル支持構造において、
前記上部支持具は、前記外装パネルの裏面に固定される挟持具と、前記台座部材に接続されかつ前記挟持具で前記外装パネルの裏面との間に挟持される上部支持部材と、を有することを特徴とする外装パネル支持構造。
【請求項５】
請求項４に記載された外装パネル支持構造において、
前記下部支持具は、前記外装パネルの裏面に固定される挟持具と、前記挟持具で前記外装パネルの裏面との間に挟持される下部支持部材と、前記下部支持部材に接続されて前記台座部材に載置可能な下部ブラケットと、を有することを特徴とする外装パネル支持構造。
【請求項６】
請求項５に記載された外装パネル支持構造において、
前記下部支持部材は、断面Ｌ字状であり、前記外装パネルの底面に沿った部分で前記外装パネルを支持することを特徴とする外装パネル支持構造。
【請求項７】
請求項５または請求項６に記載された外装パネル支持構造において、
前記上部支持具は、前記上部支持部材または前記台座部材の少なくともいずれかが前記外装パネルの裏面に沿って延びる長尺材であり、
前記下部支持具は、前記下部支持部材または前記下部ブラケットの少なくともいずれかが前記外装パネルの裏面に沿って延びる長尺材であり、
複数の前記外装パネルが並列に配置されかつ各々の裏面が前記上部支持具および前記下部支持具で互いに連結されて外装パネルユニットとされていることを特徴とする外装パネル支持構造。
【請求項８】
建物躯体に外装パネルを支持する外装パネル支持方法であって、
裏面上部に上部支持具が接続されかつ裏面下部に下部支持具が接続された前記外装パネルを形成するとともに、前記建物躯体の各階床梁にパネル支持具を固定し、前記パネル支持具には前記建物躯体の各階床材の上面側に配置された上向きの支持面を形成しておき、
前記外装パネルを前記建物躯体に近接させ、前記上部支持具を前記支持面に載置し、前記建物躯体の前記床材上から前記上部支持具と前記支持面とを固定し、
他の前記外装パネルを前記建物躯体に近接させ、先に前記支持面に載置した前記外装パネルの前記上部支持具に、他の前記外装パネルの前記下部支持具を載置し、前記建物躯体側の前記床材上から前記下部支持具と前記上部支持具とを固定してゆくことを特徴とする外装パネル支持方法。
【請求項９】
請求項８に記載された外装パネル支持方法において、
前記上部支持具と前記支持面と、および前記上部支持具と前記下部支持具とは、それぞれ締結具により締結することを特徴とする外装パネル支持方法。
【請求項１０】
請求項８または請求項９に記載された外装パネル支持方法において、
前記外装パネルは、予め複数を並列に配置したうえ各々の裏面を前記上部支持具および前記下部支持具で互いに連結して外装パネルユニットとしておくことを特徴とする外装パネル支持方法。
【発明の詳細な説明】
【技術分野】
【０００１】
本発明は外装パネル支持構造および外装パネル支持方法に関する。
【背景技術】
【０００２】
建物の外壁には、ＡＬＣ板（軽量気泡コンクリート製壁板）などの外装パネルが、縦横に複数配列される。
このような外装パネルを建物躯体に支持する技術として、特許文献１に示す工法および取付具が知られている。
特許文献１の工法では、複数の外装パネルの裏側に連結部材を設置してパネルユニットとし、吊り上げないし固定を一括して行うことで作業を効率化している。連結部材として、外装パネルの上部および下部にそれぞれ水平に延びる型鋼を設置し、各々をクレーンなどでの吊り上げに用いるとともに、建物躯体への固定に利用している。
建物躯体に外装パネルを取り付ける際には、上下に配列される外装パネルのうち、先ず、下側の外装パネルを取付位置に配置したうえ、その上部連結部材を、建物躯体の各階床梁に載置して固定する。続いて、上側の外装パネルを取付位置に配置したうえ、その下部連結部材を、下側の外装パネルの上部連結部材に載置して固定する。
これらの作業を建物躯体の各階で順次繰り返すことで、建物躯体の各階床梁間に外装パネルによる外壁が形成される。
【０００３】
特許文献１の工法では、下側の外装パネルの上部連結部材を建物躯体の床梁への固定、および下側の外装パネルの上部連結部材と上側の外装パネルの下部連結部材との固定が、それぞれ床梁の上面で行われ、専ら建物躯体側からの作業で済む。このため、外装パネル外側の足場を省略でき、工期の短縮およびコスト低減が可能である。
【先行技術文献】
【特許文献】
【０００４】
【特許文献１】特開平１１−６２０７７号公報
【発明の概要】
【発明が解決しようとする課題】
【０００５】
前述した特許文献１の工法では、下側の外装パネルの上部連結部材に上側の外装パネルの下部連結部材を載置したのち、一部に溶接を行って固定する。このため、建物躯体の作業現場には、溶接作業に用いる溶接設備を搬入し、各階毎に移動させる必要がある。
また、特許文献１の工法では、下側の外装パネルの上部連結部材を建物躯体の床梁への固定作業、および下側の外装パネルの上部連結部材と上側の外装パネルの下部連結部材との固定作業が、それぞれ外側の足場なしに床梁の上面で行えるものの、床梁に床材が設置されている際には、床材上面より低い位置での作業になる可能性もあり、作業性を十分に高めることができない。
【０００６】
本発明の主な目的は、外装パネルの固定作業が建物躯体の各階床面上から容易に行える外装パネル支持構造および外装パネル支持方法を提供することにある。
本発明の他の目的は、外装パネルの固定作業が現場溶接作業なしに行える外装パネル支持構造および外装パネル支持方法を提供することにある。
【課題を解決するための手段】
【０００７】
本発明の外装パネル支持構造は、建物躯体に外装パネルを支持する外装パネル支持構造であって、前記外装パネルの裏面上部に接続された上部支持具と、前記外装パネルの裏面下部に接続された下部支持具と、前記建物躯体の各階床梁に固定されたパネル支持具と、を有し、前記パネル支持具には、前記建物躯体の各階床材の上面側に配置された上向きの支持面が形成され、前記支持面には、前記上部支持具が載置され、前記支持面に載置された前記上部支持具には、上方に設置される他の前記外装パネルの前記下部支持具が載置されることを特徴とする。
【０００８】
このような本発明では、下階の外装パネルの上部支持具が、上階床梁のパネル支持具に支持され、その上に上階の外装パネルの下部支持具が支持される。つまり、上階の外装パネルの下部支持具は、下階の上部支持具およびパネル支持具を介して床梁に支持される。ここで、パネル支持具は、支持面が建物躯体の各階床材の上面側に配置され、その上に載置されて固定される下階の外装パネルの上部支持具および上階の外装パネルの下部支持具は、それぞれ建物躯体の各階床材の上面側に配置される。従って、これらを固定する作業は、各階床面上から容易に行うことができる。
なお、建物躯体の各階床材の上面側に配置されるパネル支持具の支持面の高さは、上部支持具および下部支持具の固定作業を容易にできる高さ、例えば床面上１０ｍｍないし３００ｍｍ程度とすることができる。
【０００９】
本発明の外装パネル支持構造において、前記上部支持具と前記支持面と、および前記上部支持具と前記下部支持具とは、それぞれボルト、リベットまたはクリップにより締結されることが好ましい。
【００１０】
本発明において、締結具としては、例えばボルト、リベットまたはクリップなど、作業者がハンドツールを用いて締結できるものが利用できる。
このような本発明では、建物躯体の各階床面上から行う支持面、上部支持具、および下部支持具の固定作業が、例えばボルトの締め付け作業、リベットの打ち込み作業、クリップの打ち込み作業など、ハンドツールで実施可能である。つまり、外装パネルの固定作業を、現場溶接作業なしに行うことができる。
【００１１】
本発明の外装パネル支持構造において、前記上部支持具は、前記建物躯体に向けて水平に延びる下段フランジおよび上段フランジが形成された台座部材を有し、前記下段フランジが前記支持面に載置されるとともに、前記上段フランジに前記下部支持具が載置されることが好ましい。
【００１２】
このような本発明では、台座部材に形成される下段フランジおよび下段フランジを用いて、支持面に載置または下部支持具を載置することができる。
そして、下段フランジと支持面との固定、および下段フランジと下部連結具との固定にあたって、下段フランジおよび下段フランジが薄い部分となるため、ボルト締結、リベットやクリップの打ち込みを容易にできる。
なお、下段フランジおよび下段フランジを有する台座部材としては、例えば汎用のＨ形鋼やＣ形鋼を用いることができ、専用部材よりも確保が容易かつ安価にできる。
【００１３】
本発明の外装パネル支持構造において、前記上部支持具は、前記外装パネルの裏面に固定される挟持具と、前記台座部材に接続されかつ前記挟持具で前記外装パネルの裏面との間に挟持される上部支持部材と、を有することが好ましい。
【００１４】
本発明において、挟持具としては、例えばＺクリップなど、外装パネルの裏面との間に上部支持部材を挟持可能であり、かつ、外装パネルの裏面への固定の際に、作業者がハンドツールを用いて操作できるものが利用できる。
このような本発明では、挟持具で上部支持部材を挟持する際に、外装パネルに対する台座部材の位置調整が可能である。また、挟持具としてはＺクリップなどの汎用部品を利用でき、上部支持部材は汎用のＬ形鋼アングル材を利用でき、それぞれ確保が容易かつ安価にできる。
【００１５】
本発明の外装パネル支持構造において、前記下部支持具は、前記外装パネルの裏面に固定される挟持具と、前記挟持具で前記外装パネルの裏面との間に挟持される下部支持部材と、前記下部支持部材に接続されて前記台座部材に載置可能な下部ブラケットと、を有することが好ましい。
【００１６】
本発明において、挟持具としては、例えばＺクリップなど、外装パネルの裏面との間に上部支持部材を挟持可能であり、かつ、外装パネルの裏面への固定の際に、作業者がハンドツールを用いて操作できるものが利用できる。
このような本発明では、挟持具で下部支持部材を挟持する際に、外装パネルに対する下部ブラケットの位置調整、つまり下階の外装パネルに対する位置調整が可能である。また、挟持具としてはＺクリップなどの汎用部品を利用でき、下部支持部材および下部ブラケットは汎用のＬ形鋼アングル材を利用でき、それぞれ確保が容易かつ安価にできる。
【００１７】
本発明の外装パネル支持構造において、前記下部支持部材は、断面Ｌ字状であり、前記外装パネルの底面に沿った部分で前記外装パネルを支持することが好ましい。
【００１８】
このような本発明では、下部支持具で外装パネルの荷重を支持することができ、建物躯体に対して外装パネルを確実に支持することができる。
【００１９】
本発明の外装パネル支持構造において、前記上部支持具は、前記上部支持部材または前記台座部材の少なくともいずれかが前記外装パネルの裏面に沿って延びる長尺材であり、前記下部支持具は、前記下部支持部材または前記下部ブラケットの少なくともいずれかが前記外装パネルの裏面に沿って延びる長尺材であり、複数の前記外装パネルが並列に配置されかつ各々の裏面が前記上部支持具および前記下部支持具で互いに連結されて外装パネルユニットとされていることが好ましい。
【００２０】
このような本発明では、上部支持具および下部支持具が外装パネルの裏面に沿って延びるため、複数の外装パネルを順次連結し、外装パネルユニットとすることができ、一括して搬送、吊り上げないし支持固定を行うことで、作業効率を向上できる。
【００２１】
本発明の外装パネル支持方法は、建物躯体に外装パネルを支持する外装パネル支持方法であって、裏面上部に上部支持具が接続されかつ裏面下部に下部支持具が接続された前記外装パネルを形成するとともに、前記建物躯体の各階床梁にパネル支持具を固定し、前記パネル支持具には前記建物躯体の各階床材の上面側に配置された上向きの支持面を形成しておき、前記外装パネルを前記建物躯体に近接させ、前記上部支持具を前記支持面に載置し、前記建物躯体の前記床材上から前記上部支持具と前記支持面とを固定し、他の前記外装パネルを前記建物躯体に近接させ、先に前記支持面に載置した前記外装パネルの前記上部支持具に、他の前記外装パネルの前記下部支持具を載置し、前記建物躯体側の前記床材上から前記下部支持具と前記上部支持具とを固定してゆくことを特徴とする。
【００２２】
本発明の外装パネル支持方法において、前記上部支持具と前記支持面と、および前記上部支持具と前記下部支持具とは、それぞれ締結具により締結することが好ましい。
【００２３】
本発明の外装パネル支持方法において、
前記外装パネルは、予め複数を並列に配置したうえ各々の裏面を前記上部支持具および前記下部支持具で互いに連結して外装パネルユニットとしておくことが好ましい。
【００２４】
このような本発明の外装パネル支持方法では、前述した本発明の外装パネル支持構造で説明した通りの効果を得ることができる。
【発明の効果】
【００２５】
本発明によれば、外装パネルの固定作業が建物躯体の各階床面上から容易に行える外装パネル支持構造および外装パネル支持方法を提供することができる。
また、本発明によれば、外装パネルの固定作業が現場溶接作業なしに行える外装パネル支持構造および外装パネル支持方法を提供することができる。
【図面の簡単な説明】
【００２６】
【図１】本発明の一実施形態を示す縦断面図。
【図２】前記実施形態の裏面側を示す立面図。
【図３】前記実施形態の上部支持具を示す平面図。
【図４】前記実施形態の下部支持具を示す平面図。
【図５】前記実施形態の要部の分解状態を示す縦断面図。
【図６】前記実施形態の要部の分解状態を示す立面図。
【図７】前記実施形態の要部の組立て状態を示す縦断面図。
【図８】前記実施形態の要部の組立て状態を示す立面図。
【発明を実施するための形態】
【００２７】
以下、本発明の一実施形態を図面に基づいて説明する。
図１において、建物躯体１の外側には、外装パネル支持構造１０により、外装パネル９が支持されている。
建物躯体１は、形鋼を用いた柱梁架構体であり、複数階層にそれぞれＨ形鋼材を用いた床梁２が設置され、その上面にはコンクリートスラブを用いた床材３が張られている。
【００２８】
床梁２の外側には、外装パネル支持構造１０を構成するパネル支持具２０が設置されている。
パネル支持具２０は、床梁２から建物躯体１の外側へ延びる横部材２１と、横部材２１の外側先端から上方へ延びる縦部材２２とを有し、縦部材２２の上端には上向きの支持面２３（図７および図８参照）が形成されている。
【００２９】
図２に示すように、外装パネル９は、縦方向に長い短冊状のＡＬＣ板（軽量気泡コンクリート製板材）であり、複数（本実施形態では３枚）が横方向に並べられている。
外装パネル９の建物躯体１側（裏面側）には、外装パネル支持構造１０を構成する上部支持具３０および下部支持具４０が設置されている。
３枚の外装パネル９は、水平方向に延びる上部支持具３０および下部支持具４０により連結され、これにより外装パネルユニット８が形成されている。
【００３０】
図３および図４に示すように、外装パネルユニット８を構成する外装パネル９は、それぞれ縦方向の空洞が多数形成された中空構造であり、端部の１枚は外面が平坦とされているが、他の２枚は縦方向に連続した凹凸形状が形成されている。
【００３１】
図３において、上部支持具３０は、外装パネルユニット８の略全幅に渡って水平に延びる上部支持部材３１および台座部材３２を有する。
台座部材３２は、上部支持部材３１を介して外装パネル９に接続されるとともに、両端近傍をそれぞれパネル支持具２０の支持面２３に載置されている。
【００３２】
図５および図６に示すように、上部支持部材３１は、断面Ｌ字状のアングル材で形成され、垂直部分３１１をＺクリップ３３およびボルト３４により外装パネル９の裏面に固定されている。
台座部材３２は、断面Ｈ字状の形鋼材で形成され、建物躯体に向けて水平に延びる下段フランジ３２１および上段フランジ３２２を有する。そして、台座部材３２は、下段フランジ３２１に沿って上部支持部材３１の水平部分３１２が溶接され、上部支持部材３１を介して外装パネル９の上部裏面に固定されている。上部支持部材３１により持ち出し状態で支持されることで、台座部材３２は外装パネル９から離れた位置に支持されている。
図７および図８に示すように、台座部材３２は、外装パネル９から離れた位置に支持されており、下段フランジ３２１をパネル支持具２０の支持面２３に載置したうえ、下段フランジ３２１と支持面２３とをボルト３５で締結可能である。
【００３３】
図４において、下部支持具４０は、外装パネルユニット８の略全幅に渡って水平に延びる下部支持部材４１と、下部支持部材４１に接続された複数の下部ブラケット４２とを有する。
下部ブラケット４２は、下部支持部材４１の両端近傍、および外装パネル９の接続部分にそれぞれ配置され、前述した上部支持具３０の台座部材３２の上面に載置されている。
【００３４】
図５および図６に示すように、下部支持部材４１は、断面Ｌ字状のアングル材で形成され、Ｚクリップ４３およびボルト４４により外装パネル９の下部裏面に固定されている。下部支持部材４１は、下側の水平部分４１１が外装パネル９の底面に当接され、外装パネル９の荷重を支持可能である。
下部ブラケット４２は、断面Ｌ字状のアングル材で形成され、その垂直部分４２１が下部支持部材４１の垂直部分４１２に溶接され、下側の水平部分４２２が外装パネル９から離れる方向に延びている。
図７および図８に示すように、下部ブラケット４２は、下側の水平部分４２２が外装パネル９から離れる方向に延びているので、この水平部分４２２を台座部材３２の上段フランジ３２２に載置し、ボルト４５で締結可能である。
【００３５】
本実施形態においては、次のような手順で、建物躯体１に外装パネル９を支持する。
先ず、建物躯体１の近くの作業現場で、外装パネル９を起立状態で並べ、各々の裏面上部および裏面下部に上部支持具３０および下部支持具４０を沿わせ、Ｚクリップ３３，４３およびボルト３４、４４で固定し、これにより外装パネルユニット８を形成しておく。
一方、建物躯体１では、各階の床材３が張られた床梁２に、パネル支持具２０を溶接しておく。この際、パネル支持具２０は、支持面２３が各階の床材３の上面より上にくるように配置しておく。
【００３６】
次に、外装パネルユニット８をクレーンなどで吊り上げ、建物躯体１の各階外側に近接させ、上部支持具３０の台座部材３２をパネル支持具２０の支持面２３に載置してボルト３５で締結し、下部支持具４０を下階の外装パネルユニット８の台座部材３２に載置してボルト４５で締結する。
この際、上部支持具３０を支持面２３に近接させて載置する際の案内作業、台座部材３２と支持面２３とのボルト締結は、上階の床材３上にいる作業者が行う。
一方、下部支持具４０を下階の外装パネルユニット８の台座部材３２に近接させて載置する際の案内作業、下部支持具４０と台座部材３２とのボルト締結は、下階の床材３上にいる作業者が行う。
【００３７】
以上のような外装パネルユニット８の配置、上部支持具３０および下部支持具４０の固定の作業を、下階から上階へと順次繰り返してゆくことで、建物躯体１の各階外面にはそれぞれ外装パネルユニット８が設置される。
【００３８】
このような本実施形態によれば、次に述べる効果が得られる。
本実施形態では、下階の外装パネルユニット８（外装パネル９）の上部支持具３０が、上階の床梁２のパネル支持具２０に支持され、その上に上階の外装パネルユニット８の下部支持具４０が支持される。つまり、上階の外装パネルユニット８の下部支持具４０は、下階の上部支持具３０およびパネル支持具２０を介して床梁２に支持される。ここで、パネル支持具２０は、支持面２３が建物躯体１の各階の床材３の上面側に配置され、その上に載置されて固定される下階の外装パネルユニット８の上部支持具３０および上階の外装パネルユニット８の下部支持具４０は、それぞれ建物躯体１の各階の床材３の上面側に配置される。従って、これらを固定する作業は、各階の床材３の上から容易に行うことができる。
【００３９】
本実施形態では、上部支持具３０と支持面２３と、および上部支持具３０と下部支持具４０とは、それぞれ締結具であるボルト３５，４５により締結した。
このため、建物躯体１の各階床面上から行う作業は、スパナなどのハンドツールで実施可能であり、外装パネル９の固定作業を、現場溶接作業なしに行うことができる。
【００４０】
本実施形態では、上部支持具３０の台座部材３２として、建物躯体１に向けて水平に延びる下段フランジ３２１および上段フランジ３２２が形成されたＨ形鋼を用い、下段フランジ３２１を支持面２３に載置するとともに、上段フランジ３２２に下部支持具４０を載置した。
このため、台座部材３２に形成される下段フランジ３２１および上段フランジ３２２を用いて、支持面２３に載置または下部支持具４０を載置することができる。
そして、下段フランジ３２１と支持面２３との固定、および上段フランジ３２２と下部支持具４０との固定にあたって、下段フランジ３２１および上段フランジ３２２が薄い部分となるため、ボルト３５，４５による締結を容易にできる。
さらに、下段フランジ３２１および上段フランジ３２２を有する台座部材３２として、汎用のＨ形鋼を用いることができ、専用部材よりも確保が容易かつ安価にできる。
【００４１】
本実施形態では、上部支持具３０として、外装パネル９の裏面に固定されるＺクリップ３３と、台座部材３２に接続され、かつ挟持具であるＺクリップ３３で外装パネル９の裏面との間に挟持される上部支持部材３１と、を設けた。
このため、Ｚクリップ３３で上部支持部材３１を挟持する際に、外装パネル９に対する台座部材３２の位置調整が可能である。また、Ｚクリップ３３は汎用部品であり、上部支持部材３１は汎用のＬ形鋼アングル材を利用でき、確保が容易かつ安価にできる。
【００４２】
本実施形態では、下部支持具４０として、外装パネル９の裏面に固定される挟持具であるＺクリップ４３と、Ｚクリップ４３で外装パネル９の裏面との間に挟持される下部支持部材４１と、下部支持部材４１に接続されて台座部材３２に載置可能な下部ブラケット４２と、を設けた。
このため、Ｚクリップ４３で下部支持部材４１を挟持する際に、外装パネル９に対する下部ブラケット４２の位置調整、つまり下階の外装パネル９に対する位置調整が可能である。また、Ｚクリップ４３は汎用部品であり、下部支持部材４１および下部ブラケット４２は汎用のＬ形鋼アングル材を利用でき、確保が容易かつ安価にできる。
【００４３】
本実施形態では、下部支持部材４１は、断面Ｌ字状であり、外装パネル９の底面に沿った水平部分４１１で外装パネル９の底面を支持するようにした。
このため、下部支持具４０で外装パネル９（外装パネルユニット８）の荷重を支持することができ、建物躯体１に対して外装パネル９を確実に支持することができる。
【００４４】
本実施形態では、上部支持具３０は、上部支持部材３１および台座部材３２がともに外装パネル９の裏面に沿って延びる長尺材であり、下部支持具４０は、下部支持部材４１が外装パネル９の裏面に沿って延びる長尺材であり、複数の外装パネル９を並列に配置して各々の裏面が上部支持具３０および下部支持具４０で互いに連結することで外装パネルユニット８を形成した。
このため、外装パネル９の裏面に沿って延びる上部支持具３０および下部支持具４０により、複数の外装パネル９を順次連結して外装パネルユニット８とすることができ、外装パネルユニット８を一括して搬送、吊り上げないし支持固定を行うことで、作業効率を向上できる。
【００４５】
なお、本発明は前述した実施形態に限定されるものではなく、本発明の目的を達成できる範囲での変形などは本発明に含まれる。
前記実施形態では、上部支持具３０と支持面２３との締結、および上部支持具３０と下部支持具４０との締結に、それぞれ締結具としてボルト３５，４５を用いた。これに対し体し、締結具としては、ハンドツールで操作可能なリベットまたはクリップなどを用いてもよい。このようなリベットまたはクリップによる締結でも、リベットの打ち込み作業、クリップの打ち込み作業など、ハンドツールで実施可能であり、外装パネルの固定作業を、現場溶接作業なしに行うことができる。
【００４６】
前記実施形態では、支持面２３との接続、および下部支持具４０との接続に、下段フランジ３２１および上段フランジ３２２を有するＨ形鋼材製の台座部材３２を用いたが、下段フランジ３２１および上段フランジ３２２を有する台座部材３２としてＣ形鋼を用いてもよい。さらに、上下２段のフランジを有する台座部材３２に限らず、１段だけのＬ形鋼材を用いて長手方向の区間を支持面２３との接続、および下部支持具４０との接続に使い分けてもよい。
このほか、台座部材３２は、支持面２３との接続、および下部支持具４０との接続に、下段フランジ３２１および上段フランジ３２２などの薄板状の部分を用いるものに限らないが、薄板状の部分を重ね合わせて締結すれば、ボルトの締め付け作業、リベットの打ち込み作業、クリップの打ち込み作業などを容易にできる。
【００４７】
前記実施形態では、上部支持具３０および下部支持具４０を外装パネル９の裏面に接続する際に、外装パネル９の裏面との間に上部支持部材３１または下部支持部材４１を挟持する挟持具としてＺクリップ３３，４３を用い、これを外装パネル９の裏面に締結するためにボルト３４，４４を用いた。これに対し、挟持具として単なる平板を用い、これにボルト３４，４４を挿通させて外装パネル９の裏面に締結し、外装パネル９の裏面との間に上部支持部材３１または下部支持部材４１を挟持してもよい。
【００４８】
前記実施形態では、上部支持部材３１または下部支持部材４１にＬ形鋼材を用いたが、Ｃ形鋼ほかの形鋼を用いてもよい。
前記実施形態では、断面Ｌ字状の下部支持部材４１の一部で外装パネル９の底面を支持したが、このような支持は断面Ｔ字状の形鋼でも行うことができる。
【００４９】
前記実施形態では、複数の外装パネル９を連結して外装パネルユニット８とするために上部支持具３０および下部支持具４０を用いるとともに、これらの上部支持具３０および下部支持具４０で複数の外装パネル９を連結できるように、上部支持部材３１、台座部材３２、および下部支持部材４１を長尺材としていた。
これに対し、上部支持具３０を長尺にするためには、上部支持部材３１または台座部材３２のいずれかが長尺であればよく、一方は短尺材としてもよい。また、下部支持具４０を長尺にするためには、下部支持部材４１を長尺とするかわりに、下部ブラケット４２を長尺にしてもよく、下部支持部材４１および下部ブラケット４２をともに長尺としてもよい。
【００５０】
前記実施形態では、複数の外装パネル９を連結して外装パネルユニット８としたが、ユニット化することは本発明に必須ではなく、個々の外装パネル９に上部支持具３０および下部支持具４０を設置し、それぞれ建物躯体１に支持していってもよい。
【産業上の利用可能性】
【００５１】
本発明は外装パネル支持構造および外装パネル支持方法に利用できる。
【符号の説明】
【００５２】
１…建物躯体、２…床梁、３…床材、８…外装パネルユニット、９…外装パネル、１０…外装パネル支持構造、２０…パネル支持具、２１…横部材、２２…縦部材、２３…支持面、３０…上部支持具、３１…上部支持部材、３１１…垂直部分、３１２…水平部分、３２…台座部材、３２１…下段フランジ、３２２…上段フランジ、３３…挟持具であるＺクリップ、３４…ボルト、３５…締結具であるボルト、４０…下部支持具、４１…下部支持部材、４１１…水平部分、４１２…垂直部分、４２…下部ブラケット、４２１…垂直部分、４２２…水平部分、４３…挟持具であるＺクリップ、４４…ボルト、４５…締結具であるボルト。
【図１】
2020176455.tif 000003
【図２】
2020176455.tif 000004
【図３】
2020176455.tif 000005
【図４】
2020176455.tif 000006
【図５】
2020176455.tif 000007
【図６】
2020176455.tif 000008
【図７】
2020176455.tif 000009
【図８】
2020176455.tif 000010